(57)【特許請求の範囲】
【請求項１】
静電容量方式のタッチパネルにおける同じ箇所が所定期間継続して１回タッチされたときに、この１回のタッチに応じた、該タッチパネルを備えた電子機器に対する指示を無効とするタッチ無効化部を備えており、
上記タッチ無効化部は、所定期間に相当する時間であるタッチ時間閾値の間、上記タッチが継続したか否かを判断し、
上記タッチ無効化部は、上記箇所が所定期間継続してタッチされたときに、該箇所に対する次のタッチに応じた上記指示を無効とし、
上記タッチ無効化部は、上記箇所への物体の接触の度合を示す信号のレベルが、該レベルの基準となるタッチ基準閾値以上であるか、または該タッチ基準閾値を超えているときに、上記箇所に対するタッチが行われていると判断し、
上記タッチ無効化部は、上記箇所が所定期間継続してタッチされたときに、上記タッチ基準閾値を増加させて、当該タッチの上記信号のレベルが、増加後のタッチ基準閾値以下となるようにすることを特徴とするタッチパネルシステム。
【請求項２】
請求項１に記載のタッチパネルシステムと、
上記タッチパネルに対応する表示装置とを備えており、
上記タッチパネルシステムおよび表示装置は、上記タッチパネルにおける複数箇所が同時にタッチされたことを検出することが可能であるように構成されていることを特徴とする電子機器。
【請求項３】
上記タッチパネルにおける一部の領域のみが、上記タッチ無効化部が機能する上記箇所とされていることを特徴とする請求項２に記載の電子機器。
【請求項４】
上記一部の領域は、上記電子機器を持つ手が上記タッチパネルに接触する領域であることを特徴とする請求項３に記載の電子機器。
【請求項５】
上記電子機器は、重力に対する該電子機器の向きを検出する重力センサを備えており、
上記タッチ無効化部は、上記重力センサの検出結果に応じて、上記一部の領域を変化させることを特徴とする請求項３または４に記載の電子機器。
【請求項６】
上記表示装置は、画像を表示する表示画面を備えた表示装置であって、液晶表示装置、プラズマディスプレイ、有機ＥＬ表示装置、および電界放出ディスプレイのいずれかであり、
上記タッチパネルは、上記表示装置の表示画面に重ねて配置されていることを特徴とする請求項２〜５のいずれか１項に記載の電子機器。
【請求項７】
上記タッチパネルは、
垂直方向に設けられていると共に互いに平行に設けられている、複数のドライブラインと、
水平方向に設けられていると共に互いに平行に設けられている、複数のセンスラインと、
上記複数のドライブラインと上記複数のセンスラインとが交差する箇所にそれぞれ形成された、複数の静電容量とを備えていることを特徴とする請求項２〜６のいずれか１項に記載の電子機器。
【請求項８】
携帯型の機器であることを特徴とする請求項２〜７のいずれか１項に記載の電子機器。
【発明の詳細な説明】
【技術分野】
【０００１】
本発明は、タッチパネルシステムおよび電子機器に関する。
【背景技術】
【０００２】
現在、スマートフォン等の携帯情報機器、および、自動券売機等の自動販売機をはじめとする様々な電子機器に対する、タッチパネルシステムの搭載が急速に進んでいる。
【０００３】
上記電子機器では、タッチパネルに対する物体の意図しない接触に起因する誤動作を防止する技術が求められている。
【０００４】
例えばこの電子機器を手で持って操作するときに、該電子機器を持つ手がタッチパネルに接触すると、この接触が該タッチパネルのタッチであると判断される。そして、この判断に起因して、該電子機器では誤動作が発生する虞がある。こうしたメカニズムによる誤動作は、該電子機器が、スマートフォン、タブレット端末、ノートパソコン等の、持ち運び可能な機器である場合に発生することが予想され、ユーザの利便性を損なうことになる。
【０００５】
図７は、上記のメカニズムを説明する図である。図７に示すとおり、タブレット端末７１のタッチパネル７２に、タブレット端末７１を持つ手（物体）７３が接触すると、この接触がタッチパネル７２のタッチであると判断されることになり、上記のとおりユーザの利便性を損なうことになる。
【０００６】
こうしたメカニズムによる誤動作の問題は、タッチパネルが配置された表示画面に対す
る額縁の幅が狭くなる程、顕在化するものと考えられる。
【０００７】
特許文献１には、タッチパネルのタッチが行われていないにも拘らず、一定の座標位置を検出し続けるという類の誤動作を防止するための技術が開示されている。
【０００８】
特許文献１に開示されている入力装置では、同じ座標位置を検出している期間が所定期間継続したときに、電極間の静電界の変化に基づく検出値と、基準値との差が所定の更新検出幅の範疇にあれば、該基準値を該検出値へと更新する。なお、ここで言う基準値とは、該検出値に基づいて、タッチの有無を判断するための基準となる値である。そして、ある座標位置における該検出値が、この基準値以上であるか、またはこの基準値を超えていれば、該座標位置に対するタッチが行われたとみなされることになる。
【０００９】
これにより、特許文献１に開示されている入力装置では、タッチパネルのタッチが行われていないにも拘らず、一定の座標位置を検出し続けるという類の誤動作を防止することが可能となる。さらに、その後、更新した基準値を基準としてタッチの有無を検出することにより、検出の感度の向上を図ることができると考えられる。
【先行技術文献】
【特許文献】
【００１０】
【特許文献１】特開２００７−２８６８１４号公報（２００７年１１月１日公開）
【発明の概要】
【発明が解決しようとする課題】
【００１１】
特許文献１に開示されている入力装置では、基準値を、該基準値を超える検出値へと更新する。このため、更新前においては基準値以上であるか、または基準値を超える値であった検出値が、更新後においては基準値未満であるか、または基準値以下の値として扱われるケースが発生する。
【００１２】
つまり、特許文献１に開示されている入力装置では、基準値の更新前後で、タッチが行われているか否かの判断基準が異なることになる。この結果、タッチパネルのタッチがタッチとして判断されないことにより、タッチの有無を検出する感度が低下する虞があるという問題が発生する。
【００１３】
本発明は、上記の問題に鑑みて為されたものであり、その目的は、タッチパネルのタッチの有無を検出する感度の低下を抑制しつつ、タッチパネルに対する物体の意図しない接触に起因する誤動作を防止することを可能とするタッチパネルシステムを提供することにある。また、本発明の別の目的は、このタッチパネルシステムを備えた電子機器を提供することにある。
【課題を解決するための手段】
【００１４】
本発明のタッチパネルシステムは、上記の問題を解決するために、静電容量方式のタッチパネルにおける同じ箇所が所定期間継続して１回タッチされたときに、この１回のタッチに応じた、該タッチパネルを備えた電子機器に対する指示を無効とするタッチ無効化部を備えており、上記タッチ無効化部は、所定期間に相当する時間であるタッチ時間閾値の間、上記タッチが継続したか否かを判断し、上記タッチ無効化部は、上記箇所が所定期間継続してタッチされたときに、該箇所に対する次のタッチに応じた上記指示を無効とし、
上記タッチ無効化部は、上記箇所への物体の接触の度合を示す信号のレベルが、該レベルの基準となるタッチ基準閾値以上であるか、または該タッチ基準閾値を超えているときに、上記箇所に対するタッチが行われていると判断し、上記タッチ無効化部は、上記箇所が所定期間継続してタッチされたときに、上記タッチ基準閾値を増加させて、当該タッチ
の上記信号のレベルが、増加後のタッチ基準閾値以下となるようにすることを特徴としている。
【００１５】
上記の構成によれば、タッチ無効化部は、タッチパネルにおける同じ箇所が所定期間継続してタッチされたときに、このタッチによる電子機器に対する指示を無効とする。これにより、例えば電子機器を持つ手がタッチパネルに接触する場合のように、タッチパネルに対する物体の意図しない接触が継続するとき、該接触による指示は行われない。このため、タッチパネルに対する物体の意図しない接触に起因する誤動作を防止することが可能となる。
【００１６】
また、上記の構成によれば、上記の誤動作を防止するために、タッチが行われているか否かの判断基準を変更する必要は無い。従って、タッチの有無を検出する感度の低下については、抑制することが可能となる。
【００１７】
また、上記タッチ無効化部は、所定期間に相当する時間であるタッチ時間閾値の間、上記タッチが継続したか否かを判断する。
【００１８】
上記の構成によれば、上記箇所が所定期間継続してタッチされたか否かを、簡単な構成により判断することができる。
【００１９】
また、本発明のタッチパネルシステムの、上記タッチ無効化部は、上記箇所が所定期間継続してタッチされたときに、該箇所に対する次のタッチに応じた上記指示を無効とする。
【００２０】
上記の構成によれば、タッチパネルに対する物体の意図しない接触が、短期間に何度も発生する場合であっても、タッチ無効化部は、１度機能するだけで、該接触の度に発生し得る誤動作を防止することが可能となる。
【００２１】
また、本発明のタッチ無効化部は、上記箇所への物体の接触の度合を示す信号のレベルが、該レベルの基準となるタッチ基準閾値以上であるか、または該タッチ基準閾値を超えているときに、上記箇所に対するタッチが行われていると判断し、上記タッチ無効化部は、上記箇所が所定期間継続してタッチされたときに、上記タッチ基準閾値を増加させる。
【００２２】
上記の構成によれば、上記箇所に対するタッチに応じた指示を一定期間無効とすることを、簡単な構成により実現することができる。
【００２３】
また、本発明の電子機器は、本発明のタッチパネルシステムと、上記タッチパネルに対応する表示装置とを備えており、上記タッチパネルシステムおよび表示装置は、上記タッチパネルにおける複数箇所が同時にタッチされたことを検出することが可能であるように構成されていることを特徴としている。
【００２４】
上記の構成によれば、本発明のタッチパネルシステムと同様に、タッチの有無を検出する感度の低下を抑制しつつ、タッチパネルに対する物体の意図しない接触に起因する誤動作を防止することを可能とする電子機器を実現することができる。
【００２５】
また、本発明の電子機器は、上記タッチパネルにおける一部の領域のみが、上記タッチ無効化部が機能する上記箇所とされているのが好ましい。
【００２６】
上記の構成によれば、タッチパネルにおける一部の領域のみを、タッチ無効化部の機能が発揮される領域とすることができる。
【００２７】
電子機器では、タッチパネルの特定箇所に長時間タッチすること（いわゆる、長押し）による、該電子機器に対する指示を実現したい場合がある。そして、このような長時間のタッチが行われることが予想されるタッチパネルの領域を、タッチ無効化部の機能が発揮される領域とするのは好ましくない。そこで、上記の構成によれば、タッチパネルの特定箇所に長時間タッチすることによる該指示の実現と、タッチ無効化部によるタッチの無効化とを同時に実現させることが容易となる。
【００２８】
特に、本発明の電子機器において、上記一部の領域は、上記電子機器を持つ手が上記タッチパネルに接触する領域であるのが好ましい。
【００２９】
また、本発明の電子機器は、重力に対する該電子機器の向きを検出する重力センサを備えており、上記タッチ無効化部は、上記重力センサの検出結果に応じて、上記一部の領域を変化させるのが好ましい。
【００３０】
電子機器では、その向きに応じて、上記一部の領域として好適である位置を変化させるべき場合がある。上記の構成によれば、重力に対する電子機器の向きを検出し、その検出結果に応じて上記一部の領域を変化させることで、電子機器の向きの変化に対応して、タッチ無効化部を機能させることが可能となる。
【００３１】
また、本発明の電子機器は、液晶表示装置、プラズマディスプレイ、有機ＥＬ（ElectroLuminescence：電界発光）表示装置、および電界放出（ＦＥＤ）ディスプレイのいずれ
かであり、画像を表示する表示画面を備えた表示装置を備えており、上記タッチパネルは、上記表示装置の表示画面に重ねて配置されているのが好ましい。
【００３２】
また、本発明の電子機器は、上記タッチパネルは、垂直方向に設けられていると共に互いに平行に設けられている、複数のドライブラインと、水平方向に設けられていると共に互いに平行に設けられている、複数のセンスラインと、上記複数のドライブラインと上記複数のセンスラインとが交差する箇所にそれぞれ形成された、複数の静電容量とを備えているのが好ましい。
【００３３】
換言すれば、本発明に係るタッチパネルは、いわゆる静電容量方式のものであるのが好ましい。
【００３４】
また、本発明の電子機器は、携帯型の機器である。ここで言う、携帯型の機器としては、スマートフォン、タブレット端末、ノートパソコン等の、持ち運び可能な機器が挙げられる。
【発明の効果】
【００３５】
以上のとおり、本発明のタッチパネルシステムは、静電容量方式のタッチパネルにおける同じ箇所が所定期間継続して１回タッチされたときに、この１回のタッチに応じた、該タッチパネルを備えた電子機器に対する指示を無効とするタッチ無効化部を備えており、上記タッチ無効化部は、所定期間に相当する時間であるタッチ時間閾値の間、上記タッチが継続したか否かを判断し、上記タッチ無効化部は、上記箇所が所定期間継続してタッチされたときに、該箇所に対する次のタッチに応じた上記指示を無効とし、
上記タッチ無効化部は、上記箇所への物体の接触の度合を示す信号のレベルが、該レベルの基準となるタッチ基準閾値以上であるか、または該タッチ基準閾値を超えているときに、上記箇所に対するタッチが行われていると判断し、上記タッチ無効化部は、上記箇所が所定期間継続してタッチされたときに、上記タッチ基準閾値を増加させて、当該タッチの上記信号のレベルが、増加後のタッチ基準閾値以下となるようにする構成である。
【００３６】
従って、タッチパネルのタッチの有無を検出する感度の低下を抑制しつつ、タッチパネルに対する物体の意図しない接触に起因する誤動作を防止することが可能であるという効果を奏する。
【図面の簡単な説明】
【００３７】
【図１】本発明の実施の形態に係るタッチ無効化部により、タッチ操作を無効化する一実施例を示すグラフである。
【図２】本発明の実施の形態に係るタッチパネルシステムの概略構成を示すブロック図である。
【図３】本発明の実施の形態に係るタッチ無効化部により、タッチ操作を無効化する一実施例を示すフローチャートである。
【図４】本発明の実施の形態に係るタッチ無効化部により、タッチ操作を無効化する別の実施例を示すグラフである。
【図５】本発明の実施の形態に係る電子機器の概略構成の一例を示すブロック図である。
【図６】（ａ）および（ｂ）は、本発明の実施の形態に係るタッチ無効化部により、タッチ操作を無効化するさらに別の実施例を示す図である。
【図７】従来のタッチパネルに対する物体の意図しない接触に起因する誤動作が発生するメカニズムの一例を説明する図である。
【発明を実施するための形態】
【００３８】
〔タッチパネルシステムの構成〕
図２は、電子機器が備えている、本実施の形態に係るタッチパネルシステムの概略構成を示すブロック図である。
【００３９】
タッチパネルシステム１１は、タッチパネル１およびタッチパネルコントローラ２を備えている。タッチパネル１およびタッチパネルコントローラ２は、タッチパネル１における複数箇所が同時にタッチされたことを検出することが可能であるように構成されている。該構成の一例として、いわゆる静電容量方式のタッチパネルが挙げられる。
【００４０】
タッチパネル１は、表示装置の表示画面（図示しない）に重ねて配置されている。該表示装置としては、液晶表示装置、プラズマディスプレイ、有機ＥＬ表示装置、および電界放出ディスプレイ等が挙げられる。タッチパネル１の具体例としては、スマートフォン、タブレット端末、ノートパソコン等の、持ち運び可能な機器（携帯型の機器）である電子機器に設けられたタッチパネルが挙げられる。
【００４１】
タッチパネル１は、垂直方向（図２中、Ｘ方向）に設けられていると共に互いに平行に設けられている、複数のドライブラインを備えている。また、タッチパネル１は、水平方向（図２中、Ｙ方向）に設けられていると共に互いに平行に設けられている、複数のセンスライン（Ｓ０、Ｓ１、Ｓ２、・・・Ｓｎ−１）を備えている。さらに、タッチパネル１は、複数のドライブラインと複数のセンスラインとが交差する箇所にそれぞれ形成された、複数の静電容量（図示しない）を備えている。
【００４２】
タッチパネルコントローラ２は、タッチパネル１を用いたタッチ操作（タッチパネル１のタッチに応じた、上記電子機器に対する指示）が可能であるように構成されているシステムである。本願明細書において、タッチパネルコントローラ２は、該タッチ操作を実現するための構成要素であって、タッチパネル１を除く構成を意味するものとする。
【００４３】
タッチパネルコントローラ２は、ドライブライン駆動部３、増幅回路４、信号選択部５
、Ａ／Ｄ（アナログ‐デジタル）変換部６、復号処理部７、タッチ位置検出部８、およびタッチ無効化部９を備えている。タッチパネルシステム１１には、ホストコンピュータ１０が設けられている。
【００４４】
ドライブライン駆動部３は、複数のドライブラインに電圧を印加して、該複数のドライブラインを駆動することにより、複数の静電容量に電荷を供給する。
【００４５】
増幅回路４は、上記複数の静電容量に蓄積された電荷の線形和信号をセンスライン毎に読み出し、信号選択部５に供給する。
【００４６】
信号選択部５は、センスライン毎に読み出された複数の上記線形和信号の一つを選択し、Ａ／Ｄ変換部６に供給する。
【００４７】
Ａ／Ｄ変換部６は、信号選択部５により選択された上記線形和信号を、アナログ信号からデジタル信号に変換し、復号処理部７に供給する。
【００４８】
復号処理部７は、Ａ／Ｄ変換部６から供給された上記線形和信号を復号して、静電容量分布を求め、タッチ位置検出部８に供給する。
【００４９】
タッチ位置検出部８は、上記静電容量分布から、タッチされたタッチパネル１の箇所を、Ｘ座標およびＹ座標の分布に従って検出し、タッチ無効化部９に供給する。
【００５０】
タッチ無効化部９は、上記タッチされたタッチパネル１の箇所が、所定期間継続してタッチされたか否かを検出する。ここで、所定期間は、１秒〜数秒程度であり、例えば２秒が目安となる。そして、タッチ無効化部９は、上記タッチされたタッチパネル１の箇所が、所定期間継続してタッチされた場合、該タッチに応じたタッチ操作を無効とする。
【００５１】
タッチ無効化部９は、上記タッチ操作を有効とするときに、上記タッチされたタッチパネル１の箇所を示す情報をホストコンピュータ１０に供給する。一方、タッチ無効化部９は、上記タッチ操作を無効とするときに、該情報をホストコンピュータ１０に供給せず待機する。
【００５２】
すなわち、タッチ無効化部９は、タッチパネル１における同じ箇所が所定期間継続してタッチされたときに、該タッチに応じた、タッチパネル１を備えた電子機器に対する指示を無効とする機能を有している。
【００５３】
ホストコンピュータ１０は、例えばＣＰＵ（Central Processing Unit：コンピュータ
ーの中央演算処理装置）により構成されている。ホストコンピュータ１０は、タッチ無効化部９から供給された情報に応じて、電子機器を制御する。具体例として、ホストコンピュータ１０は、タッチ無効化部９から供給された情報に応じた表示データを、電子機器に設けられた表示装置に供給し、該表示装置の表示画面に画像を表示させる。
【００５４】
〔タッチ無効化部の実施例１〕
図１は、本実施の形態に係るタッチ無効化部９により、タッチ操作を無効化する一実施例を示すグラフである。
【００５５】
図１のグラフは、縦軸がタッチ検出値を示しており、横軸が経過時間を示している。
【００５６】
本実施例では、タッチパネル１における特定の１箇所に、物体が接触する場合の例について説明する。
【００５７】
タッチパネル１に物体が接触すると、この接触の度合（タッチパネル１への圧力、接触の範囲等）に応じて、接触の箇所に対応する静電容量に対応するタッチ検出値が大きくなる。タッチパネルコントローラ２のタッチ位置検出部８は、タッチ検出値がタッチ基準閾値Ｄｔｈ以上であるか、またはタッチ基準閾値Ｄｔｈを超えているときに、接触の箇所に対するタッチが行われていると判断する。タッチ検出値がタッチ基準閾値Ｄｔｈ未満またはタッチ基準閾値Ｄｔｈ以下となるまでの間、タッチが継続しているとみなされる。
【００５８】
なお、通常、人の指によってタッチパネル１に接触する程度であれば、この接触に伴い大きくなったタッチ検出値は、タッチ基準閾値Ｄｔｈを超えることとなる。従って、ここでは、タッチ位置検出部８が、タッチ検出値がタッチ基準閾値Ｄｔｈを超えているときに、タッチが行われていると判断し、タッチ基準閾値Ｄｔｈ以下であれば、タッチが行われていないと判断するものとする。
【００５９】
図１のグラフでは、タッチ検出値がタッチ基準閾値Ｄｔｈを超えた値Ｄ１となった瞬間の時刻Ｔ１が、タッチ位置検出部８により、タッチが行われていると最初に判断された（タッチが開始された）時間に相当し、この瞬間をタッチの開始時刻Ｔ１としている。
【００６０】
タッチ無効化部９は、上記のタッチが所定期間継続するか否かを検出する。換言すれば、タッチ無効化部９は、タッチ検出値がタッチ基準閾値Ｄｔｈを超えている期間が、所定期間継続するか否かを検出する。
【００６１】
このとき、タッチ無効化部９は、上記所定期間に相当する時間であるタッチ時間閾値Ｔｔｈを参照して、上記の検出を行う。タッチ時間閾値Ｔｔｈとして設定された時間は、該時間を幅とする（該時間に渡る）一定の期間を示す。図１のグラフでは、タッチの開始時刻Ｔ１から、タッチの開始時刻Ｔ１に対してタッチ時間閾値Ｔｔｈ（所定期間）後に相当する時間である時刻Ｔ２までの期間が、タッチ時間閾値Ｔｔｈの時間に相当し、このときのタッチ時間閾値Ｔｔｈは、（時刻Ｔ２−時刻Ｔ１）となる。
【００６２】
このように、タッチ無効化部９は、所定期間に相当する時間であるタッチ時間閾値Ｔｔｈの間、タッチが継続したか否かを判断するのが好ましい。
【００６３】
これにより、接触の箇所が所定期間継続してタッチされたか否かを、簡単な構成により判断することができる。
【００６４】
つまり、タッチ無効化部９は、タッチの継続期間ＴＡ・ＴＢ（タッチ検出値がタッチ基準閾値Ｄｔｈを超え続けている期間）が、タッチ時間閾値Ｔｔｈが示す時間以上であるか否かを検出する。
【００６５】
時刻Ｔ１で開始され時刻Ｔ３で終了するタッチの継続期間ＴＡが、タッチ時間閾値Ｔｔｈが示す時間以上であるとき、タッチ無効化部９は、上記のタッチが、所定期間継続したと判断する。そして、この判断に基づいて、タッチ無効化部９は、該タッチに応じたタッチ操作を無効とする（図１中の継続期間ＴＡ参照）。
【００６６】
一方、時刻Ｔ４で開始され時刻Ｔ５で終了するタッチの継続期間ＴＢが、時刻Ｔ４で開始され時刻Ｔ６で終了するタッチ時間閾値Ｔｔｈが示す時間未満であるとき、タッチ無効化部９は、上記のタッチが、所定期間継続しなかったと判断する。そして、この判断に基づいて、タッチ無効化部９は、該タッチに応じたタッチ操作を有効とする（図１中の継続時間ＴＢ参照）。
【００６７】
タッチ無効化部９は、タッチパネル１における同じ箇所が所定期間継続してタッチされたときに、このタッチによる電子機器に対する指示を無効とする。これにより、例えば電子機器を持つ手がタッチパネル１に接触する場合のように、タッチパネル１に対する物体の意図しない接触が継続するとき、該接触による指示は行われない。このため、タッチパネル１に対する物体の意図しない接触に起因する誤動作を防止することが可能となる。
【００６８】
また、前述した従来技術のように、上記の誤動作を防止するために、タッチが行われているか否かの判断基準を変更する必要は無い。従って、タッチの有無を検出する感度の低下については、抑制することが可能となる。
【００６９】
図３は、本実施の形態に係るタッチ無効化部９により、タッチ操作を無効化する一実施例を示すフローチャートである。
【００７０】
まず、タッチ位置検出部８は、接触の箇所に対応するタッチ検出値がタッチ基準閾値Ｄｔｈを超えているか否かを判断することにより、接触の箇所がタッチされているか否かを判断する（ステップＦ１）。タッチ検出値がタッチ基準閾値Ｄｔｈを超えていない（ステップＦ１の結果がＮｏである）とき、改めて該判断を行う。
【００７１】
タッチ検出値がタッチ基準閾値Ｄｔｈを超えている（ステップＦ１の結果がＹｅｓである）とき、タッチ無効化部９は、タッチの継続期間が、タッチ時間閾値Ｔｔｈが示す時間以上であるか否かを検出する（ステップＦ２）。
【００７２】
タッチの継続期間が、タッチ時間閾値Ｔｔｈが示す時間以上である（ステップＦ２の結果がＹｅｓである）とき、タッチ無効化部９は、上記のタッチが、所定期間継続したと判断し、該タッチに応じたタッチ操作を無効とする（ステップＦ３１）。
【００７３】
一方、タッチの継続期間が、タッチ時間閾値Ｔｔｈが示す時間未満である（ステップＦ２の結果がＮｏである）とき、タッチ無効化部９は、上記のタッチが、所定期間継続しなかったと判断し、該タッチに応じたタッチ操作を有効とする（ステップＦ３２）。
【００７４】
〔タッチ無効化部の実施例２〕
図４は、本実施の形態に係るタッチ無効化部９により、タッチ操作を無効化する別の実施例を示すグラフである。
【００７５】
図４のグラフは、図１のグラフに基づいている。以下では、図４のグラフを参照した説明を行うが、図１のグラフを参照した説明と異なる内容についてのみ説明し、その他の説明については便宜上省略する。
【００７６】
図１のグラフに示す実施例では、タッチ検出値によりタッチが行われているか否かを判断するための閾値であるタッチ基準閾値Ｄｔｈが、時間経過に拘らず一定であった。
【００７７】
一方、図４のグラフに示す実施例は、タッチ無効化部９が、時間経過に応じてタッチ基準閾値を変化させる例である。
【００７８】
図４のグラフに示す実施例において、タッチ無効化部９は、タッチの開始時刻Ｔ１から時刻Ｔ２までのタッチ時間しきい値Ｔｔｈの期間に渡って、タッチ検出値がタッチ基準閾値Ｄｔｈを超える値Ｄ１になったことにより、該タッチ基準閾値をＤｔｈからαだけ増加させる。すなわち、タッチ無効化部９は、タッチがタッチ時間しきい値Ｔｔｈ（所定期間）継続したときに、タッチ基準閾値を一定期間Ｄｔｈからαだけ増加させる。ここで、一定期間は、例えば表示装置または電子機器の電源をオフにするまでの期間、またはそれよ
り短い期間が挙げられる。また、増加後のタッチ基準閾値（Ｄｔｈ＋α）は、少なくとも人の指によってタッチパネル１に接触する程度のタッチ検出値より十分大きく、タッチパネル１に接触することがタッチであると判断されない程度の値とするのが好ましい。
【００７９】
これにより、タッチ基準閾値をＤｔｈからαだけを増加させた後、すなわち図４中の時刻Ｔ２より後の時間において、タッチ無効化部９は、タッチの継続期間に関係無くタッチ操作を無効とすることができる。この場合、時刻Ｔ４で開始され時刻Ｔ５で終了するタッチの継続期間ＴＢが、時刻Ｔ４で開始され時刻Ｔ６で終了するタッチ時間閾値Ｔｔｈが示す時間未満であっても、タッチ無効化部９は、上記のタッチに応じたタッチ操作を無効とすることができる。
【００８０】
タッチの継続期間が、タッチ時間閾値Ｔｔｈが示す時間以上であるとき、タッチ無効化部９は、上記のタッチが、所定期間継続したと判断し、該タッチに応じたタッチ操作を無効とすると共に、タッチ基準閾値をＤｔｈからαだけ増加させる（図４中の期間ＴＡ参照）。
【００８１】
タッチ基準閾値をＤｔｈからαだけ増加させた後、次のタッチに対応するタッチの継続期間ＴＢが、タッチ時間閾値Ｔｔｈが示す時間未満であっても、タッチ検出値Ｄ１がタッチ基準閾値（Ｄｔｈ＋α）以下になることから、タッチ無効化部９は、上記のタッチに応じたタッチ操作を無効とする（図４中の期間ＴＢ参照）。
【００８２】
このように、タッチ無効化部９は、所定期間継続してタッチされたときに、タッチ基準閾値を増加させて、該タッチに応じたタッチ操作を一定期間無効とする構成とすることもできる。
【００８３】
これにより、タッチパネル１に対する物体の意図しない接触が、短期間に何度も発生する場合であっても、タッチ無効化部９は、１度機能するだけで、該接触の度に発生し得る誤動作を防止することが可能となる。
【００８４】
また、同じ箇所が所定期間継続してタッチされたときに、タッチ無効化部９がタッチ基準閾値を増加させることにより、この箇所に対するタッチに応じた指示を一定期間無効とすることを、簡単な構成により実現することができる。
【００８５】
〔電子機器の構成〕
図５は、本実施の形態に係る電子機器１００の概略構成の一例を示すブロック図である。
【００８６】
図５に示す電子機器１００は、携帯型の機器であり、ここでは、スマートフォンの構成例を示している。
【００８７】
電子機器１００は、バスライン１０１を備えている。そして、電子機器１００は、バスライン１０１に接続されている、記憶部１０２、カメラ部１０３、入力操作部１０４、通信処理部１０５、画面表示部１０６、音声出力部１０７、および制御部１０８を備えている。
【００８８】
記憶部１０２は、例えばＲＯＭ（Read Only Memory：読み出し専用メモリ）およびＲＡＭ（Random Access Memory：随時書込・読出メモリ）によって構成されている。記憶部１０２には、カメラ部１０３により撮像した画像のデータ、画面表示部１０６の主要部である表示画面に表示させる画像等の、各種のデータが格納されている。
【００８９】
カメラ部１０３は、例えば撮像レンズおよび撮像素子を備えた撮像モジュールにより構成されている。カメラ部１０３は、物体（被写体）の撮像を行うものである。
【００９０】
入力操作部１０４は、タッチパネル１０９および入力ボタン群１１０を備えている。
【００９１】
タッチパネル１０９は、タッチパネル１（図２参照）と同じ構成であり、上記表示画面に重ねて配置されている。タッチパネル１０９は、タッチする箇所、タッチの継続期間等に応じて、様々な指示を電子機器１００に対して行うことができる。
【００９２】
入力ボタン群１１０は、電子機器１００の筐体（図示しない）等に設けられた複数のボタンである。入力ボタン群１１０は、押下するボタン、押下する複数のボタンの組み合わせ、ボタンを押下する期間またはタイミング等に応じて、様々な指示を電子機器１００に対して行うことができる。
【００９３】
通信処理部１０５は、テレビジョン放送の受信、インターネットをはじめとする各種通信ネットワークへの接続、他の端末との通信（携帯端末の場合、通話等）といった、電子機器１００から電子機器１００外部への通信を担っている。通信処理部１０５は、電波を送受信する各種のアンテナおよびその周辺回路（周辺機器）等を備えている。
【００９４】
画面表示部（表示装置）１０６は、液晶表示装置、プラズマディスプレイ、有機ＥＬ表示装置、および電界放出ディスプレイのいずれかであり、画像を表示する表示画面を備えた表示装置である。上述したとおり、タッチパネル１０９は、画面表示部１０６の主要部である表示画面に重ねて配置されているが、ここでは、その詳細な構造については、図示および説明を省略している。
【００９５】
音声出力部１０７は、スピーカ等を備えており、外部に音を出力するものである。
【００９６】
制御部１０８は、バスライン１０１を介して、記憶部１０２、カメラ部１０３、入力操作部１０４、通信処理部１０５、画面表示部１０６、および音声出力部１０７を統括的に制御する。また、該制御のため、制御部１０８は、必要に応じて、保存すべきデータを記憶部１０２に書き込んだり、所望のデータを記憶部１０２から読み出したりする。
【００９７】
制御部１０８は、主にＣＰＵにより構成されており、ホストコンピュータ１０（図２参照）がこれに該当する。但し、タッチパネル１からの入力に基づく信号処理を行うことを考慮すると、ハードウェアを含むタッチパネルコントローラ２（図２参照）の各構成要素が、制御部１０８に含まれると解釈することができる。
【００９８】
これにより、タッチの有無を検出する感度の低下を抑制しつつ、タッチパネル１に対する物体の意図しない接触に起因する誤動作を防止することを可能とする電子機器１００を実現することができる。
【００９９】
〔タッチ無効化部の実施例３〕
タッチ無効化部９が機能する（同じ箇所が所定期間継続してタッチされたときに、タッチに応じた電子機器に対する指示を無効とする）タッチパネル１の部分を、タッチパネル１における一部の領域に制限することが可能である。こうした実施例について、図６（ａ）および（ｂ）を参照して説明する。
【０１００】
図６（ａ）および（ｂ）は、本実施の形態に係るタッチ無効化部９により、タッチ操作を無効化するさらに別の実施例を示す図である。
【０１０１】
図６（ａ）および（ｂ）に示すタブレット端末（電子機器）２００は、表示画面に重ねて配置されたタッチパネル１、重力センサ２０１、および額縁２０２を備えている。また、図示はしていないが、タブレット端末２００は、タッチパネルコントローラ２（図２参照）を備えている。
【０１０２】
以下では、図６（ａ）および（ｂ）の図示内容に従って、タブレット端末２００の平面形状が略長方形であり、その短辺を構成する額縁２０２の部分に重力センサ２０１が設けられているものとする。また、タブレット端末２００の短辺が地面と対向するようにタブレット端末２００を持った状態（図６（ａ）参照）を縦持ちと称し、タブレット端末２００の長辺が地面と対向するようにタブレット端末２００を持った状態（図６（ｂ）参照）を横持ちと称する。
【０１０３】
重力センサ２０１は、重力（地面）に対するタブレット端末２００の向きを検出するものである。タブレット端末２００は、重力センサ２０１による、重力に対するタブレット端末２００の向きの検出結果に応じて、その機能および動作等を制御することが可能であるように構成されている。
【０１０４】
タブレット端末に限らず、電子機器では、重力センサを備えていることにより、該電子機器の向きに応じた制御が可能になることが周知である。例えば、タブレット端末２００では、図６（ａ）に示す縦持ちの場合と、図６（ｂ）に示す横持ちの場合とで、表示画像の向きを異ならせるといった制御を行うことができる。
【０１０５】
図６（ａ）に示すとおり、タブレット端末２００を縦持ちするとき、タブレット端末２００を持つ手（物体）２０３は、タブレット端末２００の長辺を構成する額縁２０２の部分に位置するのが一般的である。そして、この手２０３の近くに位置するタッチパネル１の部分については、意図せずに手２０３が接触してしまう虞が高いと考えられる。
【０１０６】
そこで、タブレット端末２００を縦持ちするときは、タッチパネル１における、タブレット端末２００の長辺を構成する額縁２０２の部分の近傍のみを、タッチ無効化部９が機能する領域とすることが考えられる。タッチ無効化部９が機能する領域２０４が、その具体例に該当する。
【０１０７】
一方、図６（ｂ）に示すとおり、タブレット端末２００を横持ちするとき、タブレット端末２００を持つ手２０３は、タブレット端末２００の短辺を構成する額縁２０２の部分に位置するのが一般的である。そして、この手２０３の近くに位置するタッチパネル１の部分については、意図せずに手２０３が接触してしまう虞が高いと考えられる。
【０１０８】
そこで、タブレット端末２００を横持ちするときは、タッチパネル１における、タブレット端末２００の短辺を構成する額縁２０２の部分の近傍のみを、タッチ無効化部９が機能する領域とすることが考えられる。タッチ無効化部９が機能する領域２０５が、その具体例に該当する。
【０１０９】
タブレット端末２００では、タッチパネル１の特定箇所に長時間タッチすること（いわゆる、長押し）による、タブレット端末２００に対する指示を実現したい場合がある。そして、このような長時間のタッチが行われることが予想されるタッチパネル１の領域を、タッチ無効化部９の機能が発揮される領域とするのは好ましくない。そこで、上記の構成によれば、タッチパネル１の特定箇所に長時間タッチすることによる該指示の実現と、タッチ無効化部９によるタッチの無効化とを同時に実現させることが容易となる。
【０１１０】
また、タブレット端末２００では、その向きに応じて、タッチ無効化部９が機能する領
域として好適である位置を変化させるべき場合がある。重力に対するタブレット端末２００の向きを検出し、その検出結果に応じて該領域を変化させることで、タブレット端末２００の向きの変化に対応して、タッチ無効化部９を機能させることが可能となる。
【０１１１】
以上の説明では、タブレット端末２００に重力センサ２０１を設け、この重力センサ２０１によって検出された重力に対するタブレット端末２００の向きに応じて、タッチ無効化部９が機能する領域を変化させる実施例について説明した。しかしながら、タッチ無効化部９が機能する領域は、予め定められた固定の領域であってもよい。
【０１１２】
例えば、予め、タブレット端末２００を持つときに、タッチパネル１に手２０３が接触する虞が高いと予想されるタッチパネル１の領域を、タッチ無効化部９が機能する領域としてもよい。また、額縁２０２の近傍に位置するタッチパネル１の部分全体を、タッチ無効化部９が機能する領域としてもよい。こうすることにより、重力センサ２０１による検出結果に応じた制御を行うまでもなく、タッチ無効化部９が機能する領域を定めることができる。
【０１１３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１４】
本発明は、タッチパネルシステムおよび電子機器に利用することができる。具体的に、表示画面のサイズが２０インチ以内であり、スマートフォン、タブレット端末、ノートパソコン、デジタルカメラ等の、持ち運び可能な機器である電子機器、およびこの電子機器が備えるタッチパネルシステムに利用することができる。
【符号の説明】
【０１１５】
１  タッチパネル
２  タッチパネルコントローラ
５  信号選択部
９  タッチ無効化部
１１  タッチパネルシステム
１００  電子機器
１０６  画面表示部（表示装置）
１０９  タッチパネル
２００  タブレット端末（電子機器）
２０１  重力センサ
２０４  領域
２０５  領域
Ｔ１  時刻
Ｔ２  時刻
【図１】
0005329681.tif 000002
【図２】
0005329681.tif 000003
【図３】
0005329681.tif 000004
【図４】
0005329681.tif 000005
【図５】
0005329681.tif 000006
【図６】
0005329681.tif 000007
【図７】
0005329681.tif 000008